【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  Ｌ−ＣＤＲ１、Ｌ−ＣＤＲ２およびＬ−ＣＤＲ３を含む軽鎖相補性決定領域（Ｌ−ＣＤＲ）；ならびにＨ−ＣＤＲ１、Ｈ−ＣＤＲ２およびＨ−ＣＤＲ３を含む重鎖相補性決定領域（Ｈ−ＣＤＲ）
を含み、Ｌ−ＣＤＲ３、Ｈ−ＣＤＲ１、Ｈ−ＣＤＲ２およびＨ−ＣＤＲ３が非ヒト抗体由来であり、Ｌ−ＣＤＲ１およびＬ−ＣＤＲ２の少なくとも１つがヒト抗体配列であるヒト化抗−ＴＧＡ−７２抗体。
【請求項２】  Ｌ−ＣＤＲ１がヒト抗体に由来する請求項１のヒト化抗体。
【請求項３】  Ｌ−ＣＤＲ１がヒトモノクローナル抗体ＬＥＮに由来する請求項２のヒト化抗体。
【請求項４】  Ｌ−ＣＤＲ２がヒト抗体に由来する請求項１のヒト化抗体。
【請求項５】  Ｌ−ＣＤＲ２がヒトモノクローナル抗体ＬＥＮに由来する請求項４のヒト化抗体。
【請求項６】  Ｌ−ＣＤＲ１およびＬ−ＣＤＲ２の両方がヒト抗体配列である請求項１のヒト化抗体。
【請求項７】  Ｌ−ＣＤＲ１およびＬ−ＣＤＲ２が同じヒト抗体に由来するヒト抗体配列である請求項１のヒト化抗体。
【請求項８】  Ｌ−ＣＤＲ１およびＬ−ＣＤＲ２がヒトモノクローナル抗体ＬＥＮに由来するヒト抗体配列である請求項７のヒト化抗体。
【請求項９】  Ｌ−ＣＤＲ１およびＬ−ＣＤＲ２が異なるヒト抗体に由来するヒト抗体配列である請求項６のヒト化抗体。
【請求項１０】  Ｌ−ＣＤＲ３、Ｈ−ＣＤＲ１、Ｈ−ＣＤＲ２およびＨ−ＣＤＲ３がネズミモノクローナル抗体ＣＣ４９に由来する請求項１のヒト化抗体。
【請求項１１】  Ｌ−ＣＤＲ１、Ｌ−ＣＤＲ２およびＬ−ＣＤＲ３を含む軽鎖相補性決定領域（Ｌ−ＣＤＲ）；ならびにＨ−ＣＤＲ１、Ｈ−ＣＤＲ２およびＨ−ＣＤＲ３を含む重鎖相補性決定領域（Ｈ−ＣＤＲ）を含み、Ｈ−ＣＤＲ２中の位置６０、６１、６２、または６４の少なくとも１つのアミノ酸がヒト抗体由来の対応アミノ酸で置換されているヒト化抗−ＴＡＧ−７２抗体。
【請求項１２】  ヒト抗体が２１／２８’ＣＬである請求項１１のヒト化抗体。
【請求項１３】  Ｌ−ＣＤＲ３の位置９７のアミノ酸がヒト抗に体由来する対応アミノ酸で置換されている請求項１１のヒト化抗体。
【請求項１４】  Ｌ−ＣＤＲ１およびＬ−ＣＤＲ２の少なくとも１つがヒト抗体配列である請求項１１のヒト化抗体。
【請求項１５】  Ｌ−ＣＤＲ１がヒト抗体配列である請求項１４のヒト化抗体。
【請求項１６】  Ｌ−ＣＤＲ１がヒトモノクローナル抗体ＬＥＮに由来する請求項１５のヒト化抗体。
【請求項１７】  Ｌ−ＣＤＲ２がヒト抗体配列である請求項１４のヒト化抗体。
【請求項１８】  Ｌ−ＣＤＲ２がヒトモノクローナル抗体ＬＥＮに由来する請求項１７のヒト化抗体。
【請求項１９】  Ｌ−ＣＤＲ１およびＬ−ＣＤＲ２の両方がヒト抗体配列である請求項１７のヒト化抗体。
【請求項２０】  Ｌ−ＣＤＲ１およびＬ−ＣＤＲ２が同じヒト抗体に由来するヒト抗体配列である請求項１９のヒト化抗体。
【請求項２１】  Ｌ−ＣＤＲ１およびＬ−ＣＤＲ２がヒトモノクローナル抗体ＬＥＮに由来する請求項２０のヒト化抗体。
【請求項２２】  Ｌ−ＣＤＲ１およびＬ−ＣＤＲ２が異なるヒト抗体に由来するヒト抗体配列である請求項１９のヒト化抗体。
【請求項２３】  Ｌ−ＣＤＲ１、Ｌ−ＣＤＲ２およびＬ−ＣＤＲ３を含む軽鎖相補性決定領域（Ｌ−ＣＤＲ）；ならびにＨ−ＣＤＲ１、Ｈ−ＣＤＲ２およびＨ−ＣＤＲ３を含む重鎖相補性決定領域（Ｈ−ＣＤＲ）を含み、Ｌ−ＣＤＲ３の位置９７のアミノ酸がヒト抗体由来の対応アミノ酸で置換されているヒト化抗−ＴＡＧ−７２抗体。
【請求項２４】  Ｈ−ＣＤＲ２中の位置６０、６１、６２、または６４の少なくとも１つのアミノ酸がヒト抗体に由来する対応アミノ酸で置換されている請求項２３のヒト化抗体。
【請求項２５】  Ｌ−ＣＤＲ１およびＬ−ＣＤＲ２の少なくとも１つがヒト抗体配列である請求項２３のヒト化抗体。
【請求項２６】  Ｌ−ＣＤＲ１がヒト抗体配列である請求項２５のヒト化抗体。
【請求項２７】  Ｌ−ＣＤＲ１がヒトモノクローナル抗体ＬＥＮに由来する請求項２６のヒト化抗体。
【請求項２８】  Ｌ−ＣＤＲ２がヒト抗体配列である請求項２５のヒト化抗体。
【請求項２９】  Ｌ−ＣＤＲ２がヒトモノクローナル抗体ＬＥＮに由来する請求項２８のヒト化抗体。
【請求項３０】  Ｌ−ＣＤＲ１およびＬ−ＣＤＲ２の両方がヒト抗体配列に由来する請求項２５のヒト化抗体。
【請求項３１】  Ｌ−ＣＤＲ１およびＬ−ＣＤＲ２が同じヒト抗体に由来するヒト抗体配列である請求項３０のヒト化抗体。
【請求項３２】  Ｌ−ＣＤＲ１およびＬ−ＣＤＲ２がヒトモノクローナル抗体ＬＥＮに由来するヒト抗体配列に由来するものである請求項３１のヒト化抗体。
【請求項３３】  Ｌ−ＣＤＲ１およびＬ−ＣＤＲ２が異なるヒト抗体に由来するヒト抗体配列である請求項３０のヒト化抗体。
【請求項３４】  Ｌ−ＣＤＲ１、Ｌ−ＣＤＲ２およびＬ−ＣＤＲ３を含む軽鎖相補性決定領域（Ｌ−ＣＤＲ）；ならびにＨ−ＣＤＲ１、Ｈ−ＣＤＲ２およびＨ−ＣＤＲ３を含む重鎖相補性決定領域（Ｈ−ＣＤＲ）を含み、Ｌ−ＣＤＲ３中の位置９４および９７の残基が非ヒト抗−ＴＡＧ−７２抗体に由来するものであるヒト化抗−ＴＡＧ−７２抗体。
【請求項３５】  Ｌ−ＣＤＲ１、Ｌ−ＣＤＲ２およびＬ−ＣＤＲ３を含む軽鎖相補性決定領域（Ｌ−ＣＤＲ）；ならびにＨ−ＣＤＲ１、Ｈ−ＣＤＲ２およびＨ−ＣＤＲ３を含む相補性決定領域（Ｈ−ＣＤＲ）を含み、Ｈ−ＣＤＲ１中の位置３１、３２および３４の残基が非ヒト抗−ＴＡＧ−７２抗体に由来するものであるヒト化抗−ＴＡＧ−７２抗体。
【請求項３６】  請求項１、１１、２３、３４または３５のいずれかのヒト抗体を発現する核酸配列。
【請求項３７】  請求項１、１１、２３、３４または３５のいずれかのヒト化抗体を発現するベクター。
【請求項３８】  請求項１、１１、２３、３４または３５のいずれかのヒト化抗体を含有する、癌治療のための組成物。
【請求項３９】  請求項１、１１、２３、３４または３５のいずれかのヒト化抗体を含有する、癌細胞を検出するための組成物。
【請求項４０】  ＴＡＧ−７２に特異的に結合できるポリペプチドを含有し、該ポリペプチドが請求項１、１１、２３、３４または３５のいずれかのヒト化抗体の機能的フラグメントを含むものである、癌細胞を検出するための組成物。
【請求項４１】  ポリペプチドがＦｖ、Ｆａｂ、およびＦ(ａｂ’)2からなる群より選択されるフラグメントを含むものである請求項４０の組成物。
【請求項４２】  請求項１、１１、２３、３４または３５のいずれかのヒト化抗体に、対象から得た細胞を接触させることを含む、ガン細胞の検出方法。
【請求項４３】  ヒト化抗体が標識されている請求項４２の方法。
【請求項４４】  標識二次抗体を用いてヒト化抗体が検出される請求項４２の方法。
【請求項４５】  ＴＡＧ−７２に特異的に結合しうるポリペプチドを含有し、該ポリペプチドが請求項１、１１、２３、３４または３５のいずれかのヒト化抗体の機能的フラグメントを含むものである組成物に、対象から得た細胞を接触させることを含む、癌細胞の検出方法。
【請求項４６】  ポリペプチドがＦｖ、Ｆａｂ、およびＦ(ａｂ’)2からなる群より選択されるフラグメントを含むものである請求項４５の方法。